(57)【要約】【課題】硬貨入出金口の面積を大きくすることができ、硬貨出金の際の操作性が低下することがなく、かつ、ゴミ等の異物が投入されてしまう可能性を低減することができるようにする。【解決手段】硬貨の入金及び出金を行うための硬貨入出金口と、該硬貨入出金口上部に取り付けられた開閉可能な複数枚のシャッタ板とを有し、硬貨入金のときには、隣接するシャッタ板同士が互いに水平方向に離間して、一括投入枚数を制限した硬貨入出金口を形成し、硬貨出金のときには、前記シャッタ板を全開し、一括取り出しを可能とした硬貨入出金口を形成し、硬貨の入金及び出金を行わないときには、前記シャッタ板を全閉して前記硬貨入出金口を隠す。【選択図】図１
2010009626.tif 000002
【特許請求の範囲】
【請求項１】
（ａ）硬貨の入金及び出金を行うための硬貨入出金口と、
（ｂ）該硬貨入出金口上部に取り付けられた開閉可能な複数枚のシャッタ板とを有し、
（ｃ）硬貨入金のときには、隣接するシャッタ板同士が互いに水平方向に離間して、一括投入枚数を制限した硬貨入出金口を形成し、
（ｄ）硬貨出金のときには、前記シャッタ板を全開し、一括取り出しを可能とした硬貨入出金口を形成し、
（ｅ）硬貨の入金及び出金を行わないときには、前記シャッタ板を全閉して前記硬貨入出金口を隠すことを特徴とする硬貨入出金装置。
【請求項２】
（ａ）硬貨の入金及び出金を行うための硬貨入出金口と、
（ｂ）該硬貨入出金口上部に取り付けられた開閉可能な複数枚の互いに重ならないシャッタ板とを有し、
（ｃ）硬貨入金のときには、隣接するシャッタ板同士が互いに離間して、一括投入枚数を制限した硬貨入出金口を形成し、
（ｄ）硬貨出金のときには、前記シャッタ板を全開し、一括取り出しを可能とした硬貨入出金口を形成し、
（ｅ) 硬貨の入金及び出金を行わないときには、前記シャッタ板を全閉して前記硬貨入出金口を隠すことを特徴とする硬貨入出金装置。
【請求項３】
（ａ）硬貨の入金及び出金を行うための硬貨入出金口と、
（ｂ）該硬貨入出金口上部に取り付けられた開閉可能な複数枚の互いに重ならないシャッタ板とを有し、
（ｃ）硬貨入金のときには、隣接するシャッタ板同士が互いに水平方向に離間して、一括投入枚数を制限した硬貨入出金口を形成し、
（ｄ）硬貨出金のときには、前記シャッタ板を全開し、一括取り出しを可能とした硬貨入出金口を形成し、
（ｅ）硬貨の入金及び出金を行わないときには、前記シャッタ板を全閉して前記硬貨入出金口を隠すことを特徴とする硬貨入出金装置。
【発明の詳細な説明】
【技術分野】
【０００１】
本発明は、硬貨入出金装置に関するものである。
【背景技術】
【０００２】
従来、銀行、信用金庫、郵便局、消費者金融会社等の金融機関の支店等には、ＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動取引装置が配設されている。そして、金融機関の顧客は前記自動取引装置を自分で操作して、入金、出金、振り込み、振り替え、通帳記帳等の金融取引を行うようになっている。この場合、前記自動取引装置には、紙幣の入金及び出金を行う紙幣入出金装置とともに、硬貨の入金及び出金を行う硬貨入出金装置が取り付けられている（例えば、特許文献１参照。）。
【０００３】
そして、前記硬貨入出金装置は、前記顧客が入金するための硬貨を受け入れたり、出金された硬貨を顧客に受け渡すための硬貨入出金部を有している。ここで、該硬貨入出金部は、硬貨の入金及び出金を行うための硬貨入出金口を備え、また、該硬貨入出金口の内部には、入金された硬貨又は出金された硬貨を収納するための取引皿を備えている。そして、前記硬貨入出金口には、機体内と機体外とを遮断又は開放する開閉可能なシャッタが取り付けられている。該シャッタは、前記顧客が自動取引装置を自分で操作して行う金融取引の内容に応じて、自動的に前記硬貨入出金口を開閉し、硬貨の入金又は出金の可又は不可状態を切り換えるようになっている。
【０００４】
ところで、前記シャッタは、硬貨を出金する場合だけでなく、硬貨を入金する場合にも硬貨入出金口を全開にするようになっているので、前記顧客は前記取引皿に多数の硬貨を一括して投入することができる。しかし、多数の硬貨を一括して投入することができるので、顧客が内容を確認せずに硬貨を投入する場合が多く、硬貨とともにゴミ等の異物が前記取引皿に投入されてしまうことがある。このように、ゴミ等の異物が硬貨入出金装置内に入り込むと、該硬貨入出金装置の動作不良や故障が発生してしまう。
【０００５】
そこで、硬貨を入金するためのスリット状の硬貨投入口を別途配設し、硬貨を入金する場合には前記硬貨投入口から入金するようにした硬貨入出金装置が提案されている。この場合、前記硬貨投入口がスリット状で開口面積が狭いので、一度に多数の硬貨を投入することができず、硬貨とともにゴミ等の異物が投入されてしまう可能性を低減することができる。なお、前記硬貨入出金口と同様に、開閉可能なシャッタが取り付けられた硬貨出金口も併設され、硬貨を出金する場合には、前記シャッタが全開し、取引皿に出金された硬貨を顧客が一括して受け取ることができるようになっている。
【先行技術文献】
【特許文献】
【０００６】
【特許文献１】特開平５−１０１２５３号公報
【発明の概要】
【発明が解決しようとする課題】
【０００７】
しかしながら、前記従来の硬貨入出金装置においては、スリット状の硬貨投入口と硬貨出金口とが配設されているので、硬貨入出金装置内における硬貨の搬送路が複雑になってしまう。また、自動取引装置に取り付けられた硬貨入出金装置において、顧客側に面した顧客操作エリアの面積は限定されてしまう。そのため、該顧客操作エリアにスリット状の硬貨投入口と硬貨出金口とを配設すると、該硬貨出金口の開口面積を十分に大きく取ることができなくなってしまう。したがって、取引皿に出金された硬貨を顧客が一括して受け取る際の操作性が低下してしまう。
【０００８】
また、一般的に、スリット状の硬貨投入口は剥（む）き出しになっているため、いたずらによってゴミ等の異物が投入されることもあり、防犯上の問題がある。
【０００９】
本発明は、前記従来の硬貨入出金装置における問題点を解決して、硬貨入出金口に開閉可能なシャッタを取り付け、硬貨入金のときには前記シャッタを一部開いてスリット状の硬貨投入口を形成し、硬貨出金のときには前記シャッタを全開することによって、硬貨入出金口の面積を大きくすることができ、硬貨出金の際の操作性が低下することがなく、かつ、ゴミ等の異物が投入されてしまう可能性を低減することができる硬貨入出金装置を提供することを目的とする。
【課題を解決するための手段】
【００１０】
そのために、本発明の硬貨入出金装置においては、硬貨の入金及び出金を行うための硬貨入出金口と、該硬貨入出金口上部に取り付けられた開閉可能な複数枚のシャッタ板とを有し、硬貨入金のときには、隣接するシャッタ板同士が互いに水平方向に離間して、一括投入枚数を制限した硬貨入出金口を形成し、硬貨出金のときには、前記シャッタ板を全開し、一括取り出しを可能とした硬貨入出金口を形成し、硬貨の入金及び出金を行わないときには、前記シャッタ板を全閉して前記硬貨入出金口を隠す。
【００１１】
本発明の他の硬貨入出金装置においては、硬貨の入金及び出金を行うための硬貨入出金口と、該硬貨入出金口上部に取り付けられた開閉可能な複数枚の互いに重ならないシャッタ板とを有し、硬貨入金のときには、隣接するシャッタ板同士が互いに離間して、一括投入枚数を制限した硬貨入出金口を形成し、硬貨出金のときには、前記シャッタ板を全開し、一括取り出しを可能とした硬貨入出金口を形成し、硬貨の入金及び出金を行わないときには、前記シャッタ板を全閉して前記硬貨入出金口を隠す。
【００１２】
本発明の更に他の硬貨入出金装置においては、硬貨の入金及び出金を行うための硬貨入出金口と、該硬貨入出金口上部に取り付けられた開閉可能な複数枚の互いに重ならないシャッタ板とを有し、硬貨入金のときには、隣接するシャッタ板同士が互いに水平方向に離間して、一括投入枚数を制限した硬貨入出金口を形成し、硬貨出金のときには、前記シャッタ板を全開し、一括取り出しを可能とした硬貨入出金口を形成し、硬貨の入金及び出金を行わないときには、前記シャッタ板を全閉して前記硬貨入出金口を隠す。
【発明の効果】
【００１３】
本発明によれば、硬貨入出金口に開閉可能なシャッタを取り付け、硬貨入金のときには前記シャッタを一部開いてスリット状の硬貨投入口を形成し、硬貨出金のときには前記シャッタを全開するようになっている。これにより、硬貨入出金口の面積を大きくすることができ、硬貨出金の際の操作性が低下することがなく、かつ、ゴミ等の異物が投入されてしまう可能性を低減することができる。
【図面の簡単な説明】
【００１４】
【図１】本発明の第１の実施の形態における硬貨入出金装置の硬貨入出金口の構成を示す正面図である。
【図２】本発明の第１の実施の形態における硬貨入出金装置の外観を示す斜視図である。
【図３】本発明の第１の実施の形態におけるシャッタの動作を示す図である。
【図４】本発明の第２の実施の形態における硬貨入出金装置の硬貨入出金口の構成を示す正面図である。
【図５】本発明の第２の実施の形態における硬貨入出金装置の硬貨入出金口の構成を示す断面図であり図４のＡ−Ａ矢視断面図である。
【図６】本発明の第２の実施の形態における硬貨入出金装置の硬貨入出金口の構成を示す斜視図でありシャッタを全開した状態を示す図である。
【図７】本発明の第２の実施の形態におけるシャッタの動作を示す図であり硬貨入出金口を示す正面図である。
【図８】本発明の第２の実施の形態におけるシャッタの動作を示す側断面図であり図７のＡ−Ａ矢視断面図である。
【発明を実施するための形態】
【００１５】
以下、本発明の実施の形態について図面を参照しながら詳細に説明する。
【００１６】
図１は本発明の第１の実施の形態における硬貨入出金装置の硬貨入出金口の構成を示す正面図、図２は本発明の第１の実施の形態における硬貨入出金装置の外観を示す斜視図である。
【００１７】
図２において、１０は自動機に取り付けられるユニットとしての硬貨入出金装置であり、硬貨入出金口１１が配設された顧客操作エリア１０ａを備えている。本実施の形態において、前記自動機は、例えば、銀行、信用金庫、郵便局、消費者金融会社等の金融機関の支店等に配設されたＡＴＭ、ＣＤ、両替機等の自動取引装置であるが、鉄道の駅、バスの停留所、遊園地、ゲームセンタ等の遊技場、映画館等の劇場、博物館、駐車場、レストラン等の食堂、ゴルフ場等のスポーツ施設等に配設された自動券売機であってもよく、その他のいかなる種類の自動装置であってもよい。そして、前記自動機は、いかなる場所に配設されるものであっても、いかなる目的に使用されるものであってもよいが、本実施の形態においては、説明の都合上、前記自動機が金融取引を行う自動取引装置である場合について説明する。
【００１８】
この場合、前記自動取引装置は、銀行、郵便局、信用金庫、消費者金融会社等の金融機関の支店等の営業店、コンビニエンスストア、スーパーマーケット等の商店等に配設されたＡＴＭ、ＣＤ、両替機、キオスク端末等である。そして、前記金融機関の顧客は、自動取引装置を自分で操作して入金、出金、通帳記帳、残高照会、振り込み、振り替え等の金融取引を行う。そして、前記自動取引装置は、硬貨入出金装置１０の他にも、紙幣入出金装置、取引明細票発行装置、カード取り扱い装置等の各種の装置を備えているが、前記硬貨入出金装置１０を含む各種の装置は、通常、それぞれユニット化されて独立に構成され、自動取引装置本体に対して取り外し可能に取り付けられている。
【００１９】
ここで、前記自動取引装置の顧客操作パネルには顧客操作窓が形成され、前記硬貨入出金装置１０の顧客操作エリア１０ａは、前記硬貨入出金装置１０が自動取引装置本体に対して取り付けられた状態で、前記顧客操作窓から露出して、顧客側に面した状態となる。これにより、前記顧客は、前記顧客操作エリア１０ａに配設された硬貨入出金口１１を使用して、硬貨の入金及び出金を行うことができる。
【００２０】
なお、前記硬貨入出金装置１０の保守、点検等の場合には、該硬貨入出金装置１０を自動取引装置本体から取り外すようになっている。例えば、前記硬貨入出金装置１０に硬貨を補充する必要がある場合、オペレータは前記硬貨入出金装置１０を自動取引装置本体から取り外し、硬貨を補充した後、前記硬貨入出金装置１０を再び自動取引装置本体に取り付けるようになっている。
【００２１】
そして、前記硬貨入出金装置１０において、硬貨入出金口１１の内側には、入金された硬貨又は出金された硬貨を収納するための取引皿が配設されている。該取引皿は、例えば、水平な軸の回りに回動可能に取り付けられ、回動することによって、内部に収納している入金された硬貨を、下方の入金搬送路に投入することができる。該入金搬送路の下流側には、搬送されている硬貨の直径、材質、重量等に基づいて、前記硬貨の真偽を鑑定し、金種を判別し、さらに、金種毎に硬貨の計数を行う入金判別計数部が配設されている。そして、該入金判別計数部によって受け入れ可能と判別された硬貨は、一時貯留部に貯留された後、判別された金種毎に分別されて、出金用の硬貨を収納する出金コンテナに収納される。
【００２２】
また、前記入金判別計数部によって受け入れ不能と判別された硬貨は、前記一時貯留部からリジェクトされ、リジェクト搬送路を経由して前記取引皿に戻される。そして、前記顧客に受け入れ不能の硬貨として返却される。
【００２３】
なお、硬貨を出金する場合、前記出金コンテナに収納されている硬貨が出金搬送路に繰り出される。該出金搬送路の下流側には搬送されている硬貨の直径、材質、重量等に基づいて、前記硬貨の金種を判別し、金種毎に硬貨の計数を行う出金判別計数部が配設されている。そして、該出金判別計数部によって計数が行われた硬貨は、前記出金搬送路を搬送されて前記取引皿に投入される。これにより、所定金額の硬貨が出金される。
【００２４】
そして、前記硬貨入出金口１１には、図１に示されるように、四枚のシャッタ板１２〜１５を備えるシャッタが取り付けられている。該シャッタは、開閉可能となっていて、通常は、前記硬貨入出金口１１を閉止するために閉じた状態となっているが、硬貨入金の際には一部開いて、後述されるスリット状の硬貨投入口１６を形成し、硬貨出金の際には全開して、前記硬貨入出金口１１を開放するようになっている。
【００２５】
ここで、上側のシャッタ板１２及び下側のシャッタ板１５は、互いに同一の略台形の形状を有し、向かい合って配設され、図１に示されるように、シャッタが閉じた状態において、互いの上辺が当接するようになっている。また、右側のシャッタ板１３及び左側のシャッタ板１４は、互いに同一の略二等辺三角形の形状を有し、向かい合って配設され、図１に示されるように、シャッタが閉じた状態において、それぞれの斜辺が、隣接する上側のシャッタ板１２及び下側のシャッタ板１５の斜辺に当接するようになっている。すなわち、前記シャッタは、隣接するシャッタ板１２〜１５同士が互いに当接して全閉するようになっている。
【００２６】
そして、前記上側のシャッタ板１２及び下側のシャッタ板１５は、図１において上下方向に移動し、前記右側のシャッタ板１３及び左側のシャッタ板１４は、図１において左右方向に移動するように構成されている。この場合、前記上側のシャッタ板１２及び下側のシャッタ板１５は互いに同期して反対方向に移動し、また、前記右側のシャッタ板１３及び左側のシャッタ板１４も互いに同期して反対方向に移動するようになっている。
【００２７】
なお、前記四枚のシャッタ板１２〜１５は、例えば、図示されないパルスモータ等の駆動源の駆動力が、ベルト、プーリ、ギヤ、リンク、カム等の部材を備える動力伝達機構を介して、伝達されることによって移動させられるが、前記四枚のシャッタ板１２〜１５を移動させる機構はいかなる種類の機構であってもよいし、いかなる構成の機構であってもよい。
【００２８】
さらに、前記硬貨入出金装置１０は、図示されない制御部を有する。該制御部は、ＣＰＵ、ＭＰＵ等の演算手段、半導体メモリ、磁気ディスク等の記憶手段、通信インターフェイス等を備え、前記四枚のシャッタ板１２〜１５、入金判別計数部、出金判別計数部等を含む硬貨入出金装置１０のすべての部分の動作を統括的に制御する。また、該硬貨入出金装置１０が自動取引装置に取り付けられると、前記制御部は、自動取引装置の制御部と通信可能に接続され、硬貨入出金装置１０を自動取引装置と連携させる。
【００２９】
次に、前記構成のシャッタの動作について説明する。
【００３０】
図３は本発明の第１の実施の形態におけるシャッタの動作を示す図である。なお、図３（ａ）は硬貨入金の際のシャッタの動作を示し、図３（ｂ）は硬貨出金の際のシャッタの動作を示している。
【００３１】
まず、硬貨入金のときの動作について説明する。
【００３２】
この場合、顧客は、自動取引装置の顧客操作部を操作して金融取引を開始する。なお、前記顧客操作部は表示装置が入力装置との機能を兼ね備えるタッチパネルであるとする。そして、前記顧客は、前記顧客操作部の表示装置に表示されている選択手段としての選択項目の中から、「入金」を選択する。この場合、前記顧客は、前記顧客操作部の表示装置に表示された選択項目の中の「入金」に触れる、すなわち、タッチする。
【００３３】
すると、図３（ａ）に示されるように、前記硬貨入出金口１１の上側のシャッタ板１２及び下側のシャッタ板１５が矢印で示されるように、硬貨入出金口１１の外側に向かって移動する。これにより、上側のシャッタ板１２及び下側のシャッタ板１５の上辺が離間して隙（すき）間が形成される。なお、前記上側のシャッタ板１２及び下側のシャッタ板１５が外側に向かって移動すると、上側のシャッタ板１２及び下側のシャッタ板１５の斜辺と隣接する右側のシャッタ板１３及び左側のシャッタ板１４の斜辺との間にも隙間が形成されてしまう。そこで、該隙間を塞（ふさ）ぐために、右側のシャッタ板１３及び左側のシャッタ板１４は硬貨入出金口１１の内側に向かって移動する。これにより、図３（ａ）に示されるようなスリット状の硬貨投入口１６が形成される。すなわち、隣接するシャッタ板１２及び１５同士が互いに離間して硬貨投入口１６を形成するようになっている。そして、前記顧客は、前記硬貨投入口１６から硬貨を入金することができる。この場合、前記硬貨投入口１６は、開口面積が小さく、少数の硬貨しか同時に通過することができないので、前記顧客は、硬貨を一括して投入することはできず、少しずつ入金するようになっている。そして、入金された硬貨は、硬貨入出金口１１の内側に配設された取引皿に一旦（たん）収納された後、入金搬送路を通って入金判別計数部に搬送される。
【００３４】
この場合、前記硬貨入出金口１１における硬貨投入口１６以外の部分は、四枚のシャッタ板１２〜１５によって閉じられている。すなわち、前記硬貨投入口１６以外の部分において、隣接するシャッタ板１２〜１５同士が互いに当接している。そのため、ゴミ等の異物が硬貨入出金口１１から投入されてしまう可能性を低減することができる。なお、硬貨入金が終了すると、前記四枚のシャッタ板１２〜１５は、前述された方向と逆の方向に移動して、図１に示されるように、完全に閉じた状態、すなわち、全閉となって前記硬貨入出金口１１を閉止する。
【００３５】
また、前記スリット状の硬貨投入口１６の大きさを適宜変更することもできる。これにより、硬貨投入口１６を一度に通過することのできる硬貨の数を、例えば、一〜六枚程度に適宜調整することができる。この場合、例えば、前記シャッタ板１２〜１５を移動させるための駆動源であるパルスモータの駆動パルス数を制御して、前記シャッタ板１２〜１５の移動量を変更することによって、前記硬貨投入口１６の大きさを変更することができる。また、例えば、前記シャッタ板１２〜１５の位置を検出するセンサを配設し、該センサの出力によって検出した前記シャッタ板１２〜１５の位置に基づいて、該シャッタ板１２〜１５の移動量を変更することによって、前記硬貨投入口１６の大きさを変更することもできる。
【００３６】
次に、硬貨出金のときの動作について説明する。
【００３７】
この場合、顧客は、自動取引装置の顧客操作部を操作して金融取引を開始する。そして、前記顧客は、前記顧客操作部の表示装置に表示されている選択手段としての選択項目の中から、「出金」を選択する。この場合、前記顧客は、前記顧客操作部の表示装置に表示された選択項目の中の「出金」にタッチする。これにより、出金のための次の画面が前記顧客操作部の表示装置に表示される。続いて、顧客は、表示装置に表示された数字ボタンにタッチして出金金額を入力する。
【００３８】
すると、該出金金額に対応する硬貨が計数されて、硬貨入出金口１１の内側に配設された取引皿に収納される。そして、図３（ｂ）に示されるように、前記硬貨入出金口１１の四枚のシャッタ板１２〜１５が矢印で示されるように、硬貨入出金口１１の外側に向かって移動する。これにより、シャッタが全開となって、硬貨入出金口１１を開放する。そのため、顧客は、前記硬貨入出金口１１を通して手を入れて、前記取引皿に収納されている硬貨を一括して受け取ることができる。なお、硬貨出金が終了すると、前記四枚のシャッタ板１２〜１５は矢印で示される方向と逆の方向に移動して、図１に示されるように、完全に閉じた状態、すなわち、全閉となって前記硬貨入出金口１１を閉止する。
【００３９】
なお、本実施の形態において、前記シャッタは、図１に示されるような四枚のシャッタ板１２〜１５を備えるものでなくても、複数のシャッタ板を備えるものであれば、いかなる種類のものであってもよい。例えば、カメラにおけるシャッタ装置のように二枚のシャッタ板を備えるものであってもよいし、カメラにおける絞り装置のように五枚以上のシャッタ板を備える多数枚絞り羽方式のものであってもよい。すなわち、全閉となって前記硬貨入出金口１１を閉止するとともに、全開となって硬貨入出金口１１を開放することができ、さらに、一部開いて、少数の硬貨しか同時に通過することができない程度の開口面積の硬貨投入口１６を形成することができるものであれば、シャッタ板の枚数は何枚であってもよく、また、シャッタ板がどのように動くものであってもよい。
【００４０】
このように、本実施の形態において、硬貨入出金口１１には複数枚のシャッタ板を備えるシャッタが取り付けられ、硬貨入金のときには、前記シャッタが一部開いて、少数の硬貨しか同時に通過することができない程度の開口面積の硬貨投入口１６、すなわち、スリット状の硬貨投入口１６が形成されるようになっている。また、硬貨出金のときには、前記シャッタを全開することによって、硬貨入出金口１１を開放するようになっている。
【００４１】
そのため、硬貨入出金装置１０の顧客操作エリア１０ａに硬貨投入口と硬貨出金口とをそれぞれ配設する必要がなく、硬貨入出金口１１の面積を大きくすることができるので、硬貨出金のときの操作性が向上する。また、硬貨入金のときにはスリット状の硬貨投入口１６が形成されるだけなので、ゴミ等の異物が投入されてしまう可能性を低減することができる。さらに、硬貨の入金及び出金が行われないときには、シャッタが全閉となって前記硬貨入出金口１１を閉止するので、いたずらによってゴミ等の異物が投入されることがない。
【００４２】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００４３】
図４は本発明の第２の実施の形態における硬貨入出金装置の硬貨入出金口の構成を示す正面図、図５は本発明の第２の実施の形態における硬貨入出金装置の硬貨入出金口の構成を示す断面図であり図４のＡ−Ａ矢視断面図、図６は本発明の第２の実施の形態における硬貨入出金装置の硬貨入出金口の構成を示す斜視図でありシャッタを全開した状態を示す図である。
【００４４】
本実施の形態において、硬貨入出金口１１に取り付けられたシャッタは、図４に示されるように、一枚のシャッタ板２１を備える。前記シャッタは、開閉可能となっていて、通常は、前記硬貨入出金口１１を閉止するために閉じた状態となっているが、前記シャッタ板２１が図４における上方に移動することができる。そして、シャッタが全開となると、図６に示されるように、硬貨入出金口１１を開放する。
【００４５】
また、硬貨入出金装置１０において、前記硬貨入出金口１１の内側には、図５に示されるように、入金された硬貨又は出金された硬貨を収納するための取引皿２２が配設されている。そして、該取引皿２２の図５における左側の側面には、断面がスリット状の溝２３が形成されている。該溝２３は、図６に示されるように、硬貨入出金口１１の端部上壁２４から取引皿２２の下端に向けて連続して形成されている。なお、シャッタが全閉となっている状態では、図５に示されるように、シャッタ板２１が前記端部上壁２４も塞ぐので、前記硬貨入出金口１１が、図４に示されるように閉止され、顧客は前記溝２３を視認することができない。
【００４６】
次に、本実施の形態におけるシャッタの動作について説明する。
【００４７】
図７は本発明の第２の実施の形態におけるシャッタの動作を示す図であり硬貨入出金口を示す正面図、図８は本発明の第２の実施の形態におけるシャッタの動作を示す側断面図であり図７のＡ−Ａ矢視断面図である。なお、図７（ａ）及び図８（ａ）は硬貨入金の際のシャッタの動作を示し、図７（ｂ）及び図８（ｂ）は硬貨出金の際のシャッタの動作を示している。
【００４８】
まず、硬貨入金のときの動作について説明する。
【００４９】
この場合、顧客は、前記第１の実施の形態と同様に、自動取引装置の顧客操作部を操作して「入金」を選択する。すると、前記硬貨入出金口１１のシャッタ板２１が図７（ａ）における上方、すなわち、図８（ａ）における右方に向かって移動する。これにより、硬貨入出金口１１の端部上壁２４が露出し、スリット状の硬貨投入口２５が形成される。なお、該硬貨投入口２５は、端部上壁２４における溝２３の端面の少なくとも一部が露出されて形成される。そして、前記顧客は、前記硬貨投入口２５から硬貨を入金することができる。この場合、前記硬貨投入口２５は、開口面積が小さく、少数の硬貨しか同時に通過することができないので、前記顧客は、硬貨を一括して投入することはできず、少しずつ入金するようになっている。そして、入金された硬貨は、図８（ａ）に示すような溝２３を通って、取引皿２２に一旦収納された後、図示されない入金搬送路を通って入金判別計数部に搬送される。
【００５０】
この場合、前記硬貨入出金口１１における硬貨投入口２５以外の部分は、シャッタ板２１によって閉じられている。そのため、ゴミ等の異物が硬貨入出金口１１から投入されてしまう可能性を低減することができる。なお、硬貨入金が終了すると、前記シャッタ板２１は、図７（ａ）における下方、すなわち、図８（ａ）における左方に向かって移動して、図４及び５に示されるように、完全に閉じた状態、すなわち、全閉となって前記硬貨入出金口１１を閉止する。
【００５１】
また、前記スリット状の硬貨投入口２５の大きさを適宜変更することもできる。これにより、硬貨投入口２５を一度に通過することのできる硬貨の数を、例えば、一〜六枚程度に適宜調整することができる。この場合、例えば、前記シャッタ板２１を移動させるための駆動源であるパルスモータの駆動パルス数を制御して、前記シャッタ板２１の移動量を変更することによって、前記硬貨投入口２５の大きさを変更することができる。また、例えば、前記シャッタ板２１の位置を検出するセンサを配設し、該センサの出力によって検出した前記シャッタ板２１の位置に基づいて、前記シャッタ板２１の移動量を変更することによって、前記硬貨投入口２５の大きさを変更することもできる。さらに、前記溝２３の深さや幅の寸法を変更することもできる。
【００５２】
次に、硬貨出金のときの動作について説明する。
【００５３】
この場合、顧客は、前記第１の実施の形態と同様に、自動取引装置の顧客操作部を操作して「出金」を選択し、出金金額を入力する。すると、該出金金額に対応する硬貨が計数されて、取引皿２２に収納される。そして、前記硬貨入出金口１１のシャッタ板２１が図７（ｂ）における上方、すなわち、図８（ｂ）における右方に向かって移動する。これにより、シャッタが全開となって、硬貨入出金口１１を開放する。そのため、顧客は、前記硬貨入出金口１１を通して手を入れて、前記取引皿２２に収納されている硬貨を一括して受け取ることができる。なお、硬貨出金が終了すると、前記シャッタ板２１は、図７（ｂ）における下方、すなわち、図８（ｂ）における左方に向かって移動して、図４及び５に示されるように、完全に閉じた状態、すなわち、全閉となって前記硬貨入出金口１１を閉止する。
【００５４】
このように、本実施の形態において、硬貨入出金口１１には一枚のシャッタ板２１を備えるシャッタが取り付けられ、取引皿２２の側面に、断面がスリット状の溝２３が形成されている。そして、硬貨入金のときには、前記シャッタが一部開いて、前記溝２３を露出させ、少数の硬貨しか同時に通過することができない程度の開口面積の硬貨投入口２５、すなわち、スリット状の硬貨投入口２５が形成されるようになっている。
【００５５】
そのため、簡単な構成のシャッタを使用して、スリット状の硬貨投入口２５を形成することができ、前記第１の実施の形態と同様の効果を得ることができる。
【００５６】
また、本発明は前記実施の形態に限定されるものではなく、本発明の趣旨に基づいて種々変形させることが可能であり、それらを本発明の範囲から排除するものではない。
【符号の説明】
【００５７】
１０    硬貨入出金装置
１１    硬貨入出金口
１２、１３、１４、１５、２１    シャッタ板
【図１】
2010009626.tif 000003
【図２】
2010009626.tif 000004
【図３】
2010009626.tif 000005
【図４】
2010009626.tif 000006
【図５】
2010009626.tif 000007
【図６】
2010009626.tif 000008
【図７】
2010009626.tif 000009
【図８】
2010009626.tif 000010